(57)【要約】【課題】従来の使い捨て型エアーフィルタに代えてろ材パックのみを交換して廃棄できるようにしたろ材交換型エアーフィルタにおいて、薄型のろ材パックを取り替えようとする際、損傷し易い上フィルタ枠の蓋の嵌め外しが上手くいかず薄型のろ材パックを取り付けられないといった問題が生じた。そこで、損傷し易いろ材パックでもあるいは厚みの薄いろ材パックでも容易にろ材パックの交換を行えるようにしたものである。【解決手段】  薄型のろ材パック１を交換可能に収容し薄型のろ材パック１の周囲を気密状態に支持するようにしたろ材交換型エアーフィルタフィルタ枠２において、フィルタ枠２を下板３および蓋４と左右の側板５、６とから構成し、蓋４から立下がる上部受け部材７と下板３から立ち上る下部受け部材８を設け、さらに上部受け部材７および下部受け部材８の後端には仕切り板９を左右の側板の内側に一体的に取り付けて蓋の取り付け取り外しを容易になしうるようにしたことを特徴としたものである。【選択図】図１
2010082612.tif 000002
【特許請求の範囲】
【請求項１】
薄型のろ材パック１とこの薄型のろ材パック１を交換可能に収容し薄型のろ材パック１の周囲を気密状態に支持するフィルタ枠２とからなり、フィルタ枠２を下板３および蓋４と左右の側板５、６とから構成し、蓋４から立下がる上部受け部材７と下板３から立ち上る下部受け部材８を設け、さらに上部受け部材７および下部受け部材８の後端には仕切り板９を左右の側板の内側に一体的に取り付けて蓋４の取付け取外しを容易になしたことを特徴とするろ材交換型エアーフィルタ。
【請求項２】
下板３の左右端に左右の側板５、６の下端がそれぞれ固定して接合され、蓋４を取外したときには左右の側板５、６がそれぞれの自重により左右の側板５、６の上端側がフィルタ枠２外方に開く方向に傾くようになることを特徴とする請求項１に記載のろ材交換型エアーフィルタ。
【請求項３】
上部受け部材７の立下り寸法を短くし、左右の側板５、６の内面との間に少し隙間を開けていることを特徴とする請求項１に記載のろ材交換型エアーフィルタ。
【請求項４】
下部受け部材８は立上り寸法を上下の中間付近まで伸ばして設けられ、剛性を有し、その左右端が左右の側板５、６の内面に接していることを特徴とする請求項１に記載のろ材交換型エアーフィルタ。
【発明の詳細な説明】
【技術分野】
【０００１】本発明は損傷し易いろ材でもあるいは厚みの薄いろ材でも容易にろ材交換が行え、フィルタ枠の剛性を充分に高くすることができるろ材交換型エアーフィルタに関するものである。
【背景技術】
【０００２】  近年、事務所ビルや工場などの空調用に使用されている使い捨て型エアーフィルタは、更新時に交換コストの低減や廃棄物の減少を目的として、ろ材パックのみを交換して廃棄できるようにしたろ材交換型エアーフィルタに置き換わるケースが増えてきている。【０００３】  その場合、ろ材交換型エアーフィルタのフィルタ枠の寸法は、同じ据付をする関係上、使い捨て型エアーフィルタと同じにする必要がある。【０００４】  一方ろ材パックは改良が進み従来の性能すなわち同一のろ過効率、処理風量、圧力損失であっても厚みを薄く例えば半分で済むことが出来るようになってきた。【０００５】  経済性や廃棄物の減容を考えた場合、ろ材パックの厚さは薄い方が良いといえる。このような観点で、改良の進んだ薄型のろ材パックを収納するろ材交換型エアーフィルタを既設の使い捨て型エアーフィルタに置き換えて提供しょうとする場合、ろ材交換型エアーフィルタの構造は、下記のような要件を満足することが求められるようになる。
▲１▼薄型のろ材パックは処理空気中の塵埃でフィルタ枠内が汚れる範囲を少なくするため、フィルタ枠内の前寄りに配置する必要がある。
▲２▼薄型のろ材パックの交換が容易である。
▲３▼風圧に対してろ材パックを充分に保持できる必要がある。
▲４▼ろ材パックとフィルタ枠とのシール性が充分である。
▲５▼横スライドで据え付けられるケースがあるため、横スライドでの出し入れでもフィルタ枠が変形しないような剛性を有する必要がある。
【発明の開示】
【発明が解決しょうとする課題】
【０００６】  本発明の目的は損傷し易いろ材パックでもあるいは厚みの薄いろ材パックでも容易にろ材パックの交換を行えるようにしたものである。
【０００７】  また、本発明の目的はフィルタ枠に薄型のろ材パックを前寄りに収容した場合でも蓋の取り外しを簡単、容易に行えるようにしたものである。
【０００８】  また、本発明の目的は風圧に対してろ材パックを充分に保持できるようにしたものである。
【０００９】  また、本発明の目的はろ材パックとフィルタ枠とのシール性を充分保持するものである。
【００１０】  また、本発明の目的は横スライド方式の据付けにも変形しないよう剛性を充分高めたものである。
【課題を解決するための手段】
【００１１】  本発明の解決手段はろ材交換型エアフィルタを薄型のろ材パックとろ材パックを交換可能に収容するフィルタ枠とから構成したことを特徴としたものである。
【００１２】  本発明の解決手段はフィルタ枠を下板と蓋および左右の側板とから構成したことを特徴としたものである。
【００１３】  本発明の解決手段はろ材パックの上を支持する立下りの短い上部受け部材と、さらに薄型のろ材パックの下とろ材パックの上下の中間付近を支持する立上りを長くした下部受け部材とをフィルタ枠内に配置したことを特徴としたものである。
【００１４】  ここでろ材パックはガラス繊維あるいは合成繊維より成り、ジグザグ状に保形されている。
【００１５】  フィルタ枠は下板の左右端に左右の側板の下端がそれぞれ固定して接合され、側板の上端には蓋が取り外し可能に結合されており、蓋を取り外したときには左右の側板がそれぞれその自重により左右の側板の上端側が枠外方に開く方向に傾くようになっているので、ろ材パックの出し入れが容易に行えるようになっている。
【００１６】  また、ろ材パックの上を受け止める上部受け部材が蓋からの立下げ寸法を短くし、左右側板の内面との間に少し隙間を開けて設けられている。またろ材パックの下とろ材パックの上下の中間付近を受け止めるよう、下部受け部材が下板から立上り寸法を伸ばして上下の中間付近まで設けられ、剛性を有しその左右端が左右の側板の内面に接している。
【００１７】  また上部受け部材および下部受け部材の後端には仕切り板が左右の側板の内側に取り付けられている。
【００１８】  上記課題解決手段による作用は次の通りである。本発明のろ材交換型エアフィルタはフィルタ枠の蓋を取り外したときにフィルタ枠の左右側板の自重により上端側が枠外方に開く方向に傾くようになっているので簡単容易にフィルタ枠の上方からろ材パックを出し入れさせることができる。またろ材パックの上を受け止める上部受け部材を蓋から短めに立下って設け且つろ材パックの下とろ材パックの中間付近を受け止める下部受け部材を下板からの立ち上り寸法を伸ばして、上下の中間付近まで設けているので、ろ材パックを強い風圧に対しても十分に確保されるものである。しかも、上部受け部材および下部受け部材の後端に仕切り板を設けたので上部受け部材および下部受け部材が強い風圧に対しても十分に安定されるものである。さらに上部受け部材は立上り寸法を短くし、左右側板の内面との間に隙間を開けているので、蓋の取外しに際して左右の側板の上部を押して突起をへこませ、蓋の固定を解除する作業が容易に行えるものである。また、下部受け部材は立上り寸法を上下の中間付近まで伸ばし、剛性を有して左右側板の内面に接しているので横スライドでの据付作業にも変形しない十分な剛性を有するものである。
【発明の効果】
【００１９】（１）損傷し易いろ材でもあるいは厚みの薄いろ材でも容易にろ材交換が行え、フィルタの剛性を充分に高くすることが可能である。
（２）フィルタ枠に薄型のろ材パックを前寄りに収容した場合でも蓋の取り外しを簡単、容易に行える。
（３）風圧に対してろ材パックを充分に保持することが可能である。
（４）ろ材パックとフィルタ枠とのシール性を充分保持することが可能である。
（５）横スライドでの据付作業に際しても十分な剛性を有するようにしたものである。
【発明を実施するための最良の形態】
【００２０】  以下本発明のろ材交換型エアーフィルタを図１〜図５を参照して詳細に説明する。【００２１】（実施形態）
本発明のろ材交換型エアーフィルタはろ材パック１とこのろ材パック１を交換可能に収容しろ材パック１の周囲を気密状態に支持するフィルタ枠２とから構成されている。【００２２】  フィルタ枠２は下板３および蓋４とろ材パック１の両側をそれぞれ支持する左右の側板５、６とからなっている。これらの下板３および蓋４と側板５、６は金属板または合成樹脂板により形成されている。【００２３】  そして、ろ材パック１の上を受け止める上部受け部材７が蓋４から短い寸法で立下り、左右側板の内面との間に少し隙間Ａを開けて設けられている。またろ材パック１の上とろ材パック１の上下の中間付近を受け止める下部受け部材８が下板３から立上り寸法を伸ばして上下の中間付近まで設けられている。下部受け部材８は剛性を有し左右端が左右の側板の内面に接している。さらに上部受け部材７および下部受け部材８の後端には仕切り板９が左右の側板の内側に一体的に取り付けられている。【００２４】  下板３の左右端には、この下板３から上方に垂直に折曲された端部１０が形成されており、この端部１０に左右の側板５，６の下端部がリベット１６により固定され下板３の左右端に接合されている。【００２５】  蓋４の左右端には、この蓋４から下方に垂直に折曲された折曲部１１が形成され、この折曲部１１には嵌合孔１２がもうけられている。【００２６】  一方、左右の側板５，６の上端部の外面には突起１３が形成され、前記折曲部１１の嵌合孔１２に取り外し可能に結合されるようになっている。【００２７】  また、下板３および蓋４と左右の側板５，６の内面にはその略全体にわたって濾材パック１の周囲を気密状態に支持するための弾性シール材１４、１５が設けられている。【００２８】  次にろ材交換型エアーフィルタのろ材パック１の取り付けについて述べる。まず、フィルタ枠２の蓋４を取り外す。この時フィルタ枠２の左右の側板５，６の自重により左右の側板５，６の上端部が僅か枠外方に開く方向に傾くようになってなるので、フィルタ枠２の上方からろ材パック１を容易に挿入することができる。次にろ材パック１の上部を受け止める短めに形成した上部受け部材７およびろ材パック１の下方から中間付近まで伸ばした下部受け部材８をろ材パック１に接触した状態で設置して設ける。さらに上部受け部材７および下部受け部材８の後端には仕切り板９を左右の側板の内側に一体的に取り付ける。このような状態から左右の側板５，６を枠内方に閉じ側板５，６の上部を押してわずかにへこませ、蓋４を左右の側板５，６の上端部にかぶせ、蓋４の折曲部１１の嵌合孔１２を側板５，６の外面突起１３に嵌め固定する。次にろ材パック１の交換の際には左右の側板５，６の上部を押して突起をへこませ、蓋の固定を解除する。この際上部受け部材７と左右の側板５、６の内面との間に少し間隙Ａが開いており、且つ下部受け部材８が下方から中間部付近までしか配置されていないので、容易にへこむようになっている。このような状態から前記の操作を繰り返してろ材パック１を設置する。【００２９】  さらに実施例では仕切り板９を左右の側板の内側に一体的に取り付けているが、上部用と下部用に分割して取付けても良く、種々変更しても何ら本発明の要旨を変更するもの��はない。
【産業上の利用可能性】
【００３０】本発明はフィルタ枠にろ材パックを簡単に取替え自在としながら、高い気密性をもたせたもので、ろ材交換型一般空調用フィルタとしても最適であるが特にろ材パックが薄型であっても蓋の取り外しに際し側板を押して突起をへこませ、蓋の固定解除を容易にして、蓋の取り付け取り外しを容易になしたろ材交換型エアーフィルタである。
【図面の簡単な説明】
【００３１】
【図１】本発明の１実施例を示すろ材交換型エアーフィルタの斜視図。
【図２】図１の分解斜視図。
【図３】図１のろ材パックとろ材パック後面の上部受け部材、下部受け部材との関係を示す側断面図。
【図４】図３のＺ−Ｚ断面図。
【図５】図４の蓋を取り外した時の状態を示す図。
【符号の説明】
【００３２】１・・・ろ材パック    ２・・・フィルタ枠      ３・・・下板
４・・・蓋          ５，６・・・側板        ７・・・上部受け部材
８・・・下部受け部材      ９・・・仕切り板    １０・・・端部
１１・・・折曲部          １２・・・嵌合孔      １３・・・突起
１４，１５・・・弾性シール材        １６・・・リベット
Ａ・・・隙間
【図１】
2010082612.tif 000003
【図２】
2010082612.tif 000004
【図３】
2010082612.tif 000005
【図４】
2010082612.tif 000006
【図５】
2010082612.tif 000007